(57)【要約】【課題】間接排水用継手に装着された弁体等の保護対象部を保護することのできる間接排水用継手用保護体を提供する。【解決手段】間接排水用継手用保護体４０は、両端が開口した筒形状の本体部４１を備え、本体部４１の一端部４２が間接排水用継手１の下流側端部１８に脱着自在に外嵌することで逆止弁２０が当該本体部４１内に収容されて覆われる保護接続状態αとなる。また、本体部４１の他端部４４を上流側端部として当該上流側端部が、間接排水用継手１の下端部である下流側端部１８に外嵌し、かつＶＵ管７２の上流側端部に内嵌して本体部４１内を排水が流通可能となるアジャスト接続状態βとなる。【選択図】図５
2020020399.tif 000002
【特許請求の範囲】
【請求項１】
上流側排水管部から流れてくる排水を下流側排水管部に向けて間接排水するための間接排水用継手に装着された保護対象部を覆って保護する間接排水用継手用保護体であって、
両端が開口した筒形状の本体部を備え、
前記本体部の一端部が前記間接排水用継手の一端部に脱着自在に外嵌して、前記保護対象部が当該本体部内に収容されて覆われる保護接続状態と、
前記本体部の他端部を上流側端部として当該上流側端部が、前記間接排水用継手の一端部である下流側端部に外嵌し、かつ所定の第１の内径を有する第１の下流側排水管部の上流側端部に内嵌して前記本体部内を前記排水が流通可能となるアジャスト接続状態と、
のうちいずれかの状態に選択的に状態変換可能である
ことを特徴とする間接排水用継手用保護体。
【請求項２】
前記保護対象部が前記間接排水継手における一端部から突出しており、前記保護対象部の突出長さが、前記保護接続状態で、前記間接排水用継手用保護体が前記間接排水用継手の一端部から突出する突出長さよりも短い
請求項１に記載の間接排水用継手用保護体。
【請求項３】
前記本体部の一端部に係合部を備え、
前記保護接続状態において前記本体部の前記係合部が、前記間接排水用継手の一端部に設けられた被係合部と係合しており、前記係合部と前記被係合部とでバヨネット構造が構成されている
請求項１又は請求項２に記載の間接排水用継手用保護体。
【請求項４】
請求項１乃至請求項３のいずれか１項に記載の間接排水用継手用保護体、および前記間接排水用継手を含む間接排水用継手用保護体セットであって、
前記間接排水用継手用保護体が前記保護接続状態である
ことを特徴とする間接排水用継手用保護体セット。
【請求項５】
請求項１乃至請求項３のいずれか１項に記載の間接排水用継手用保護体を用いた配管構造であって、
前記間接排水用継手用保護体が前記アジャスト接続状態である
ことを特徴とする配管構造。
【請求項６】
請求項１乃至請求項３のいずれか１項に記載の間接排水用継手用保護体を用いた配管施工方法であって、
前記本体部の一端部を下流側端部とし、他端部を上流側端部として、前記下流側端部を前記第１の下流側排水管の上流側端部内に挿入して前記本体部の上流側端部を前記第１の下流側排水管の上流側端部に内嵌させる工程と、前記間接排水用継手の下流側端部を、前記間接排水用継手用保護体における前記本体部の上流側端部に内嵌する工程とを含むアジャスト接続工程と、
前記間接排水用継手の下流側端部を、前記第１の下流側排水管の第１の内径より小さい第２の内径を有する第２の下流側排水管の上流側端部に直接内嵌させる非アジャスト接続工程と、
を選択的に実行する
ことを特徴とする配管施工方法。
【発明の詳細な説明】
【技術分野】
【０００１】
本発明は、間接排水用継手に装着された保護対象部を覆って保護する間接排水用継手用保護体、前記間接排水用継手用保護体が間接排水用継手に装着された間接排水用継手保護体セット、前記間接排水用継手用保護体を用いた配管構造、及び配管施工方法に関する。
【背景技術】
【０００２】
従来から、例えば給湯器等の機器のドレン等排水を排出する排水経路に採用されるものであって、下流側の排水管から排水が逆流して機器に故障等の悪影響を与えてしまうことを防止する間接排水構造は既によく知られている（例えば特許文献１，２参照）。また、上述した間接排水構造に用いられる間接排水用継手には、逆流防止用の弁体が設けられており、下流側の配管から当該間接排水用継手を介して外部へガスや排水が漏出することを防止しているものも提案されている。
【先行技術文献】
【特許文献】
【０００３】
【特許文献１】特開２０１１−１６２９４７号公報
【特許文献２】特開２０１６−２１１１６６号公報
【発明の概要】
【発明が解決しようとする課題】
【０００４】
ここで、間接排水用継手の外観は、製造コストや施工容易性の観点からコンパクトなものであることが好ましいことから、相対的に弁体の寸法が大きくなって、間接排水用継手の外観において弁体が突き出した状態となることが多いところ、弁体は柔軟なゴム材料で構成されて傷つきやすいため保管時や運搬時には当該弁体を保護しておく必要があった。
【０００５】
本発明は、かかる現状に鑑みてなされたものであり、間接排水用継手に装着された保護対象部を保護することのできる間接排水用継手用保護体を提供することを目的とする。
【０００６】
また本発明は、間接排水用継手と間接排水用継手用保護体とを含む間接排水用継手用保護体セットを提供することを目的とする。
【０００７】
さらに本発明は、間接排水用継手用保護体を用いた配管構造を提供することを目的とする。
【０００８】
またさらに本発明は、間接排水用継手用保護体を用いた配管施工方法を提供することを目的とする。
【課題を解決するための手段】
【０００９】
本発明は、上流側排水管部から流れてくる排水を下流側排水管部に向けて間接排水するための間接排水用継手に装着された保護対象部を覆って保護する間接排水用継手用保護体であって、両端が開口した筒形状の本体部を備え、前記本体部の一端部が前記間接排水用継手の一端部に脱着自在に外嵌して、前記保護対象部が当該本体部内に収容されて覆われる保護接続状態と、前記本体部の他端部を上流側端部として当該上流側端部が、前記間接排水用継手の一端部である下流側端部に外嵌し、かつ所定の第１の内径を有する第１の下流側排水管部の上流側端部に内嵌して前記本体部内を前記排水が流通可能となるアジャスト接続状態と、のうちいずれかの状態に選択的に状態変換可能であることを特徴とする間接排水用継手用保護体である。
【００１０】
かかる構成にあっては、例えば、前記間接排水用継手を保管又は運搬する際に、前記保護対象部を保護しておくことができる。また、例えば、１つの間接排水用継手管で、互いに内径が異なるＶＰ管にもＶＵ管にも適切に接続可能とすることが可能となる。さらに詳述すると、下流側排水管は、互いに内径が異なったいわゆるＶＰ管又はＶＵ管があるところ、本発明の間接排水用継手用保護体を用いることで、前記保護対象部の保護機能を果たすことができるし、前記アジャスト接続状態を確保して排水を適切に流通可能とする機能も果たすことができる。なお、前記保護対象部としては、間接排水用継手の下流側端部から外部へ露出している部材が好適に採用可能であり、特に弁体であることが好ましい。ただし、保護対象部は、弁体に限定されることはない。
【００１１】
また、前記保護対象部が前記間接排水継手における一端部から突出しており、前記保護対象部の突出長さが、前記保護接続状態で、前記間接排水用継手用保護体が前記間接排水用継手の一端部からの突出する突出長さよりも短い構成が提案される。
【００１２】
かかる構成とすることにより、間接排水用継手用保護体によって前記保護対象部の全体を覆って保護することができる。
【００１３】
さらに、前記本体部の一端部に係合部を備え、前記保護接続状態において前記本体部の前記係合部が、前記間接排水用継手の一端部に設けられた被係合部と係合しており、前記係合部と前記被係合部とでバヨネット構造が構成されている構成が提案される。
【００１４】
かかる構成とすることにより、本発明の間接排水用継手用保護体を前記間接排水用継手に対して確実に装着することができ、運搬時でも施工完了後の使用時でも接続した状態を確実に得ることができると共に、容易に離脱させることもできる。また、脱着作業において作業スペースがコンパクトで済むという利点もある。
【００１５】
また本発明は、前記間接排水用継手用保護体、および前記間接排水用継手を含む間接排水用継手用保護体セットであって、前記間接排水用継手用保護体が前記保護接続状態であることを特徴とする間接排水用継手用保護体セットである。
【００１６】
かかる構成にあっては、前記保護対象部を保護した状態で前記間接排水用継手を保管したり運搬したりすることができる。
【００１７】
また本発明は、前記間接排水用継手用保護体を用いた配管構造であって、前記間接排水用継手用保護体が前記アジャスト接続状態であることを特徴とする配管構造である。
【００１８】
かかる構成にあっては、例えば下流側端部がＶＰ管に対応した形状とされている前記間接排水用継手を、前記アジャスト接続状態とすることで、ＶＰ管より管の内径が大きなＶＵ管にも適切に接続することができる。
【００１９】
さらに本発明は、前記間接排水用継手用保護体を用いた配管施工方法であって、前記本体部の一端部を下流側端部とし、他端部を上流側端部として、前記下流側端部を前記第１の下流側排水管の上流側端部内に挿入して前記本体部の上流側端部を前記第１の下流側排水管の上流側端部に内嵌させる工程と、前記間接排水用継手の下流側端部を、前記間接排水用継手用保護体における前記本体部の上流側端部に内嵌する工程とを含むアジャスト接続工程と、前記間接排水用継手の下流側端部を、前記第１の下流側排水管の第１の内径より小さい第２の内径を有する第２の下流側排水管の上流側端部に直接内嵌させる非アジャスト接続工程と、を選択的に実行することを特徴とする配管施工方法である。
【００２０】
かかる構成とすることにより、前記第１の下流側排水管が採用された施工現場であっても、前記第２の下流側排水管が採用された施工現場であってもいずれでも適切に施工することが可能となる。なお、例えば前記第１の下流側排水管としてはＶＵ管が例示され、これに対して前記第２の下流側排水管としてはＶＰ管が例示されうる。
【発明の効果】
【００２１】
本発明の間接排水用継手用保護体は、前記保護接続状態として保護対象部を保護できると共に、前記アジャスト接続状態として適切に配管構造を構築することができる効果がある。
【００２２】
また本発明の間接排水用継手用保護体セットは、例えば保管時や運搬時においても前記保護対象部を適切に保護することができる効果がある。
【００２３】
また本発明の配管構造は、下流側排水管の種別に関わらず配管構造を適切に構築することができる効果がある。
【００２４】
さらに本発明の配管施工方法は、下流側排水管の種別に関わらず配管構造を適切に構築することができる効果がある。
【図面の簡単な説明】
【００２５】
【図１】間接排水用継手が使用された配管構造を示す説明図である。
【図２】間接排水用継手用保護体を用いない場合の配管構造を示す縦断面図である。
【図３】間接排水用継手と、間接排水用継手用保護体とを分離して示す正面図である。
【図４】保護接続状態の間接排水用継手用保護体を示す縦断面図である。
【図５】アジャスト接続状態の間接排水用継手用保護体を示す縦断面図である。
【発明を実施するための形態】
【００２６】
本発明の間接排水用継手用保護体の実施例を詳細に説明する。なお、本発明は、下記に示す実施例に限定されることはなく、適宜設計変更が可能である。
【００２７】
まず、間接排水用継手１について説明する。
図１に示した配管構造１１にあって、間接排水用継手１は、上流側に配置された給湯器等の機器２と、下流側に配置された排水本管８との間に配置されて使用される。具体的に間接排水用継手１には、機器２のドレン排水等の排水（以下、ドレン等排水という）を排出する複数の上流側排水管部５，６，７が接続されていると共に、排水本管８に接続されたます９に連通する下流側排水管部１０が接続されている。そして、間接排水用継手１は、上流から流れてくるドレン等排水を、排水本管８に向けて間接排水する機能を有する。
【００２８】
また、図２，３等に示すように、間接排水用継手１の上流側端部には、複数の接続口２１，２２，２３が設けられている。そして、接続口２１，２２，２３には、上述の上流側排水管部５，６，７が個別に接続されることになる。
【００２９】
また、間接排水用継手１の内部には、排水が流通する排水用空間１６が形成されている。さらに間接排水用継手１の側周部には複数の貫通孔が設けられており、当該貫通孔が排水用空間１６と外部とを連通する通水部３２とされている。
【００３０】
また、間接排水用継手１の下端部には、下流側排水管部（第２の下流側排水管部）としてのＶＰ管７１が接続される下流側端部１８が形成されている。なお、下流側端部１８の外径は、ＶＰ管７１が外嵌可能な寸法とされている。例えば、ＶＰ管の呼び径が１００である場合には、下流側端部１８の外径が１００ｍｍとされる。
【００３１】
なお、本実施例における下流側端部１８の形状は、ＶＰ管（下流側排水管）７１を装着しやすくするため、下側に向かって縮径するテーパ形状とされている。ここで、下流側端部１８の外径は、接続位置での外径が対応しており、具体的には下流側端部１８のなかの上端部分の外径となる。また、ＶＰ管７１の内径は、本発明における第１の内径に相当する。
【００３２】
また、間接排水用継手１の排水用空間１６の下端部には、保護対象部である逆止弁２０が取り付けられている。そして、このように取り付けられた逆止弁２０の下端部は、間接排水用継手１の下流側端部１８から下方向となる方向に突出して外部に露出している。
【００３３】
なお、逆止弁２０の下端部が外部に露出した状態となっている理由は以下の通りである。
すなわち、間接排水用継手１の全体寸法を可及的に小さくしてコンパクトな構造とすることが求められているところ、相対的に逆止弁２０の寸法が大きくなり、逆止弁２０の下端部が間接排水用継手１の下流側端部１８から外部へ突き出されて露出した状態となっている。
【００３４】
なお、間接排水用継手１の下流側端部１８の外周面には、バヨネット構造５０の被係合部を構成する溝部３５が形成されている。なお、バヨネット構造５０の機能については後で述べる。
【００３５】
次に、本発明にかかる間接排水用継手用保護体４０について詳述する。
【００３６】
図３等に示すように、間接排水用継手用保護体４０は、両端が開口した筒形状の本体部４１を備えている。また、本体部４１の一端部４２の内周面には、バヨネット構造５０を構成する係合部としての突出部４３が形成されている。
【００３７】
一方、本体部４１の他端部４４は、間接排水用継手１の下流側端部１８に外嵌可能な内周面形状を有している。
【００３８】
さらに、本体部４１の他端部４４の外径は、下流側排水管部（第１の下流側排水管部）としてのＶＵ管７２が外嵌可能な寸法に定められている。すなわち、例えばＶＵ管７２の呼び径が１００である場合には、他端部４４の外径は１０７ｍｍとなる。
【００３９】
また、他端部４４には、フランジ部４５が形成されている。なお、ＶＵ管７２の内径は、本発明における第２の内径に相当する。
【００４０】
上述した構成にあって、間接排水用継手１が保管又は運搬される場合には、図４に示すように、間接排水用継手用保護体４０が保護接続状態αとなる。具体的には、間接排水用継手用保護体４０における本体部４１の一端部４２が間接排水用継手１の下流側端部１８に外嵌した状態となる。そして、かかる保護接続状態αでは、逆止弁２０が間接排水用継手用保護体４０の本体部４１内に収容されて覆われた状態となる。
【００４１】
かかる状態では、間接排水用継手１に対する逆止弁２０の突出長さが、本体部４１における間接排水用継手１の下流側端部１８からの突出長さよりも短くなるため、例えば間接排水用継手１を保管又は運搬する際に、逆止弁２０を保護しておくことができる。
【００４２】
ところで、間接排水用継手用保護体４０における本体部４１の一端部４２は、バヨネット構造５０によって間接排水用継手１の下流側端部１８と脱着自在に接続することができる。具体的には、かぎ状に形成された溝部３５内に突出部４３を通過させることで脱着自在に接続可能となる。
【００４３】
また、図１等に示す配管構造１１を構築するにあたり、間接排水用継手１の下流側端部１８にＶＵ管７２を接続する場合は、まず保護接続状態αにある間接排水用継手用保護体４０を間接排水用継手１から取り外す。その後、間接排水用継手用保護体４０の他端部４４を上流側端部とし、一端部４２を下流側端部として、一端部４２をＶＵ管７２の上流側端部内に挿入して本体部４１の他端部４４をＶＵ管７２の上流側端部に内嵌する。このとき、間接排水用継手用保護体４０のフランジ部４５を、ＶＵ管７２の上端に突き当てる。
【００４４】
そして、図５に示すように、間接排水用継手１の下流側端部１８を、間接排水用継手用保護体４０における本体部４１の他端部４４に内嵌する。すなわち、間接排水用継手用保護体４０を、保護接続状態αのときとは反対向きにして間接排水用継手１の下流側端部１８に外嵌する。これによって間接排水用継手用保護体４０はアジャスト接続状態βとなる。
【００４５】
上述した間接排水用継手用保護体４０をＶＵ管７２に内嵌し、また間接排水用継手用保護体４０を、間接排水用継手１の下流側端部１８に内嵌する工程によって本発明のアジャスト接続工程が構成されている。
【００４６】
ところで、間接排水用継手用保護体４０の他端部４４の外周面形状はＶＵ管７２の内径と略等しくなる形状とされているため、他の部材を用いることなくＶＵ管７２を適切に接続することができる。
【００４７】
ここで、間接排水用継手１の下流側端部１８にＶＰ管７１を接続する場合には、図２に示すように、下流側端部１８をＶＰ管７１に直接内嵌すればよい。この場合、間接排水用継手用保護体４０は配管構造１１には含まれない。なお、下流側端部１８にＶＰ管７１を直接内嵌する工程によって本発明の非アジャスト接続工程が構成される。
【００４８】
上記した実施例において、各部の寸法形状は適宜自由に選択可能である。
【００４９】
また、各管材を接続する際には、適宜、接着剤を用いることが望ましい。また、製造コストの無駄を排除すべく部材はコンパクトなものとし、接着代もできる限り小さくすることが望ましい。
【符号の説明】
【００５０】
１                        間接排水用継手
５，６，７                上流側排水管部
１１                      配管構造
１８                      下流側端部
２０                      逆止弁（保護対象部）
４０                      間接排水用継手用保護体
４１                      本体部
４２                      一端部
４３                      突出部
４４                      他端部
５０                      バヨネット構造
７１                      ＶＰ管（下流側排水管部）
７２                      ＶＵ管（下流側排水管部）
α                        保護接続状態
β                        アジャスト接続状態
【図１】
2020020399.tif 000003
【図２】
2020020399.tif 000004
【図３】
2020020399.tif 000005
【図４】
2020020399.tif 000006
【図５】
2020020399.tif 000007